(57)【要約】【課題】  ブロック上面における排水能力に優れるとともに、道路景観を向上させ、且つ、安全性を考慮した上面にスリット状開口部を有する側溝用ブロック及びその上面開口部の形成方法を提供する。【解決手段】  内部に長手方向に沿う排水路４を有するブロック本体２の上面３を、長手方向と直交する幅方向に向けた傾斜面となし、該傾斜面をなす上面３の低部側端部３ａ近傍に長手方向に沿うスリット状の開口部５を断続又は連続して設け、該開口部５の全体、又は上記上面３に開口する略垂直状の上部開口部５ａに連続する下部開口部５ｂを排水路４側に向けて斜降状をなして排水路４と連通することで側溝用ブロック１を形成する。【選択図】  図１
2007092501.tif 000002
【特許請求の範囲】
【請求項１】
内部に長手方向に沿う排水路（４）を有するブロック本体（２）の上面（３）が、長手方向と直交する幅方向に向けた傾斜面となされ、該傾斜面をなす上面（３）の低部側端部（３ａ）近傍に長手方向に沿うスリット状の開口部（５）が断続又は連続して設けられ、該開口部（５）の全体、又は上記上面（３）に開口する略垂直状の上部開口部（５ａ）に連続する下部開口部（５ｂ）が排水路（４）側に向けて斜降状をなして排水路（４）と連通されてなる側溝用ブロック。
【請求項２】
ブロック本体（２）の上面（３）に開口部（５）と略並列状に長手方向に沿う流入孔（５′）が少なくとも１個設けられ、該流入孔（５′）が略垂直状をなして開口部（５）の排水路（４）側に向けて斜降状をなす部分に連通されてなる請求項１記載の側溝用ブロック。
【請求項３】
流入孔（５′）がその開口基部（５ｃ′）の長手方向一端又は両端に該長手方向に沿う導水溝（５ｄ′）を連通して形成されるとともに、該導水溝（５ｄ′）の底部が開口基部（５ｃ′）側に向かって下降する傾斜面（５ｅ′）となされ、上記開口基部（５ｃ′）が開口部（５），（５ｂ）に連通されてなる請求項２記載の側溝用ブロック。
【請求項４】
開口部（５），（５ｂ）が排水路（４）の底部から少なくとも所定高さ（ｈ）以上の位置で排水路（４）と連通されてなる請求項１乃至３の何れかに記載の側溝用ブロック。
【請求項５】
開口部（５）が上部開口部（５ａ）と下部開口部（５ｂ）とからなり、上部開口部（５ａ）がその開口基部（５ｃ）の長手方向一端又は両端に該長手方向に沿う導水溝（５ｄ）を連通して形成されるとともに、該導水溝（５ｄ）の底部が開口基部（５ｃ）側に向かって下降する傾斜面（５ｅ）となされ、上記開口基部（５ｃ）に下部開口部（５ｂ）が連通されてなる請求項１乃至４の何れかに記載の側溝用ブロック。
【請求項６】
開口部（５），（５ａ）、流入孔（５′）の上端縁の一部又は全体が段状をなすべく、上面（３）から凹陥する凹段部（５ｆ）がその上端外側に連設されてなる請求項２乃至５の何れかに記載の側溝用ブロック。
【請求項７】
外枠（２２）両側の妻枠（３０）間に排水路（４）形成用の内枠（２１）が横架された上面開口型の型枠（２０）内にコンクリート材料（２６）を充填して側溝用ブロック（１）を製造するに際し、該側溝用ブロック（１）の上面（３）を形成する外枠（２２）の底部型板（２３）に、その端部近傍に長手方向に沿って上部開口部（５ａ）形成用の略垂直状の第一中子（２４）を介して下部開口部（５ｂ）形成用の第二中子（２５）をその先端を内枠（２１）に向けて上向き傾斜状に接続するとともに、上記先端を内枠（２１）表面に近接させ、上記コンクリート材料（２６）の硬化後に、第一、第二中子（２４），（２５）を残して妻枠（３０）、内枠（２１）、外枠（２２）及び底部型板（２３）を脱型し、側溝用ブロック（１）内に残存せる第一中子（２４）を底部型板（２３）が存した側に外した後第二中子（２５）を内枠（２１）が存した側に外すか、又は、第一中子（２４）を底部型板（２３）側に外し、第二中子（２５）を残して妻枠（３０）、内枠（２１）、外枠（２２）及び底部型板（２３）を脱型し、側溝用ブロック（１）内に残存せる第二中子（２５）を内枠（２１）が存した側に外すか、又は、第二中子（２５）を残して妻枠（３０）、内枠（２１）、外枠（２２）及び底部型板（２３）とこれに固着した第一中子（２４）を脱型した後、側溝用ブロック（１）内に残存せる第二中子（２５）を内枠（２１）が存した側に外すことを特徴とする側溝用ブロックの上面開口部の形成方法。
【請求項８】
外枠（２２）両側の妻枠（３０）間に排水路（４）形成用の内枠（２１）が横架された上面開口型の型枠（２０）内にコンクリート材料（２６）を充填して側溝用ブロック（１）を製造するに際し、該側溝用ブロック（１）の上面（３）を形成する外枠（２２）の底部型板（２３）に、その端部近傍に長手方向に沿って上部開口部（５ａ）形成用の略垂直状の第一中子（２４）及び第三中子（３１）を介して下部開口部（５ｂ）形成用の第二中子（２５）をその先端を内枠（２１）に向けて上向き傾斜状に接続するとともに、上記先端を内枠（２１）表面に近接させ、上記コンクリート材料（２６）の硬化後に、第二、第三中子（２５），（３１）を残して妻枠（３０）、内枠（２１）、外枠（２２）及び底部型板（２３）とこれに固着した第一中子（２４）を脱型し、側溝用ブロック（１）内に残存せる第二、第三中子（２５），（３１）を内枠（２１）が存した側に外すか、又は、第一、第二、第三中子（２４），（２５），（３１）を残して妻枠（３０）、内枠（２１）、外枠（２２）及び底部型板（２３）を脱型し、側溝用ブロック（１）内に残存せる第一中子（２４）を底部型板（２３）が存した側に外した後、第二、第三中子（２５），（３１）を内枠（２１）が存した側に外すか、又は、第一中子（２４）を底部型板（２３）側に外し、第二、第三中子（２５），（３１）を残して妻枠（３０）、内枠（２１）、外枠（２２）及び底部型板（２３）を脱型し、側溝用ブロック（１）内に残存せる第二、第三中子（２５），（３１）を内枠（２１）が存した側に外すことを特徴とする側溝用ブロックの上面開口部の形成方法。
【請求項９】
外枠（２２）両側の妻枠（３０）間に排水路（４）形成用の内枠（２１）が横架された上面開口型の型枠（２０）内にコンクリート材料（２６）を充填して側溝用ブロック（１）を製造するに際し、該側溝用ブロック（１）の上面（３）を形成する外枠（２２）の底部型板（２３）に、その端部近傍に長手方向に沿って上部開口部（５ａ）形成用の略垂直状部（３２ａ）を介して下部開口部（５ｂ）形成用の傾斜状部（３２ｂ）が連設されてなる入れ子（３２）、又は、底部型板（２３）の端部近傍に長手方向に沿って上部開口部（５ａ）形成用の略垂直状部（３２ａ）を介して下部開口部（５ｂ）形成用の傾斜状部（３２ｂ）が連設されるとともに、略垂直状部（３２ａ）に並列して底部型板（２３）に接続すべき流入孔（５′）形成用の起立部（３２ｃ）が傾斜状部（３２ｂ）に連設されてなる入れ子（３２′）を、その傾斜状部（３２ｂ）の先端を内枠（２１）に向けて上向き傾斜状として接続するとともに、上記先端を内枠（２１）表面に近接させ、上記コンクリート材料（２６）の硬化後に、入れ子（３２）又は（３２′）を残して妻枠（３０）、内枠（２１）、外枠（２２）及び底部型板（２３）を脱型した後、側溝用ブロック（１）内に残存せる入れ子（３２）又は（３２′）を除去することを特徴とする側溝用ブロックの上面開口部の形成方法。
【発明の詳細な説明】
【技術分野】
【０００１】  本発明は、路上の雨水等、表面水を排水するために道路の路側や中央分離帯、歩車道の境界等に沿って道路に埋設される側溝用ブロック及びその上面開口部の形成方法に関するものである。
【背景技術】
【０００２】  従来、この種の側溝用ブロックは、例えば内部に長手方向に沿う排水路を有するブロック本体の上面に、排水路の頂部に連通するスリット状の開口部が長手方向と直交する幅方向の略中央部に長手方向にわたって設けられ、且つ上記上面が幅方向の両端部から開口部に向かう下り勾配の傾斜面となされ、上記上面の開口部がそのまま開放されていたり、或いは開口部にグレーチングや有孔板等の通水用蓋が嵌め込まれ、路上の表面水がブロック本体上面に沿って開口部に導かれ、該開口部を介して内部の排水路に排水されるようになされている。
【特許文献１】  特開２０００−３５５９６９号公報
【特許文献２】  特開２００２−３３９４４４号公報
【発明の開示】
【発明が解決しようとする課題】
【０００３】  しかしながら、かかる従来の側溝用ブロックは、スリット状の開口部がブロック本体上面の幅方向略中央部に設けられているため、横断勾配が付される道路幅員方向の端部に埋設施工されると、前記開口部から幅方向外側の傾斜面の勾配が上記道路横断勾配と逆勾配になってしまい、一連方向の排水勾配によって表面水を効率よく処理するという構造要件からすると、余り好ましいものではなかった。
又、道路幅員がブロック本体の全幅を含んで広くなされても、ブロック本体の幅員方向端部との間に上記傾斜面を介して手前に表出する前記開口部が目立ち、路面が区分されてすっきりと広く見えず、昨今の都市景観が重要視される中、道路景観面からも未だ不十分な問題点があった。【０００４】  又、開口部がブロック本体上面の幅方向略中央部に設けられていることから、上面開口部に蓋がある場合には、蓋が走行車両のタイヤによって踏まれやすく、その結果蓋ががたついて騒音を発したり、又、開口部から浮き上がったり、外れたり、損傷したり、或いはこれらに起因する事故が発生する危険性があるとともに、これらの防止対策を十分施しておく必要があり面倒であった。又、歩車道境界部で縁石を隣接させて側帯を構成するべく埋設施工された場合には、例えば歩行者が縁石を乗り越えて側帯（車道側）に足を踏み入れた際等、丁度着地位置付近に開口部が位置することとなって、開口部や蓋を踏んで靴の踵が引掛かったり、蓋上で滑ったり、或いは開口部や蓋につまずいたりする恐れがあり、安全性の面でも不十分な問題点があった。
本発明はかかる従来の問題点に鑑みてなされたものであって、ブロック上面における排水能力に優れるとともに、道路景観を向上させ、且つ、安全性を考慮した上面にスリット状開口部を有する側溝用ブロック及びその上面開口部の形成方法を提供することを課題としている。
【課題を解決するための手段】
【０００５】  上記課題を解決するため、本発明の側溝用ブロックは、内部に長手方向に沿う排水路４を有するブロック本体２の上面３が、長手方向と直交する幅方向に向けた傾斜面となされ、該傾斜面をなす上面３の低部側端部３ｂ近傍に長手方向に沿うスリット状の開口部５が断続又は連続して設けられ、該開口部５の全体、又は上記上面３に開口する略垂直状の上部開口部５ａに連続する下部開口部５ｂが排水路４側に向けて斜降状をなして排水路４と連通されてなるものである。【０００６】  又、本発明の側溝用ブロックは、上記側溝用ブロックにおいて、ブロック本体２の上面３に開口部５と略並列状に長手方向に沿う流入孔５′が少なくとも１個設けられ、該流入孔５′が略垂直状をなして開口部５の排水路４側に向けて斜降状をなす部分に連通されてなる構成を採用することができる。【０００７】  又、本発明の側溝用ブロックは、上記流入孔５′を有する側溝用ブロックにおいて、流入孔５′がその開口基部５ｃ′の長手方向一端又は両端に該長手方向に沿う導水溝５ｄ′を連通して形成されるとともに、該導水溝５ｄ′の底部が開口基部５ｃ′側に向かって下降する傾斜面５ｅ′となされ、上記開口基部５ｃ′が開口部５，５ｂに連通されてなる構成を採用することができる。【０００８】  又、本発明の側溝用ブロックは、上記各側溝用ブロックにおいて、開口部５，５ｂが排水路４の底部から少なくとも所定高さｈ以上の位置で排水路４と連通されてなる構成を採用することができる。【０００９】  又、本発明の側溝用ブロックは、上記各側溝用ブロックにおいて、開口部５が上部開口部５ａと下部開口部５ｂとからなり、上部開口部５ａがその開口基部５ｃの長手方向一端又は両端に該長手方向に沿う導水溝５ｄを連通して形成されるとともに、該導水溝５ｄの底部が開口基部５ｃ側に向かって下降する傾斜面５ｅとなされ、上記開口基部５ｃに下部開口部５ｂが連通されてなる構成を採用することができる。【００１０】  又、本発明の側溝用ブロックは、上記各側溝用ブロックにおいて、開口部５，５ａ、流入孔５′の上端縁の一部又は全体が段状をなすべく、上面３から凹陥する凹段部５ｆがその上端外側に連設されてなる構成を採用することができる。【００１１】  又、本発明の側溝用ブロックの上面開口部の形成方法は、外枠２２両側の妻枠３０間に排水路４形成用の内枠２１が横架された上面開口型の型枠２０内にコンクリート材料２６を充填して側溝用ブロック１を製造するに際し、該側溝用ブロック１の上面３を形成する外枠２２の底部型板２３に、その端部近傍に長手方向に沿って上部開口部５ａ形成用の略垂直状の第一中子２４を介して下部開口部５ｂ形成用の第二中子２５をその先端を内枠２１に向けて上向き傾斜状に接続するとともに、上記先端を内枠２１表面に近接させ、上記コンクリート材料２６の硬化後に、第一、第二中子２４，２５を残して妻枠３０、内枠２１、外枠２２及び底部型板２３を脱型し、側溝用ブロック１内に残存せる第一中子２４を底部型板２３が存した側に外した後第二中子２５を内枠２１が存した側に外すか、又は、第一中子２４を底部型板２３側に外し、第二中子２５を残して妻枠３０、内枠２１、外枠２２及び底部型板２３を脱型し、側溝用ブ���ック１内に残存せる第二中子２５を内枠２１が存した側に外すか、又は、第二中子２５を残して妻枠３０、内枠２１、外枠２２及び底部型板２３とこれに固着した第一中子２４を脱型した後、側溝用ブロック１内に残存せる第二中子２５を内枠２１が存した側に外すことを特徴とするものである。【００１２】  又、本発明の側溝用ブロックの上面開口部の形成方法は、外枠２２両側の妻枠３０間に排水路４形成用の内枠２１が横架された上面開口型の型枠２０内にコンクリート材料２６を充填して側溝用ブロック１を製造するに際し、該側溝用ブロック１の上面３を形成する外枠２２の底部型板２３に、その端部近傍に長手方向に沿って上部開口部５ａ形成用の略垂直状の第一中子２４及び第三中子３１を介して下部開口部５ｂ形成用の第二中子２５をその先端を内枠２１に向けて上向き傾斜状に接続するとともに、上記先端を内枠２１表面に近接させ、上記コンクリート材料２６の硬化後に、第二、第三中子２５，３１を残して妻枠３０、内枠２１、外枠２２及び底部型板２３とこれに固着した第一中子２４を脱型し、側溝用ブロック１内に残存せる第二、第三中子２５，３１を内枠２１が存した側に外すか、又は、第一、第二、第三中子２４，２５，３１を残して妻枠３０、内枠２１、外枠２２及び底部型板２３を脱型し、側溝用ブロック１内に残存せる第一中子２４を底部型板２３が存した側に外した後、第二、第三中子２５，３１を内枠２１が存した側に外すか、又は、第一中子２４を底部型板２３側に外し、第二、第三中子２５，３１を残して妻枠３０、内枠２１、外枠２２及び底部型板２３を脱型し、側溝用ブロック１内に残存せる第二、第三中子２５，３１を内枠２１が存した側に外すことを特徴とするものである。【００１３】  又、本発明の側溝用ブロックの上面開口部の形成方法は、外枠２２両側の妻枠３０間に排水路４形成用の内枠２１が横架された上面開口型の型枠２０内にコンクリート材料２６を充填して側溝用ブロック１を製造するに際し、該側溝用ブロック１の上面３を形成する外枠２２の底部型板２３に、その端部近傍に長手方向に沿って上部開口部５ａ形成用の略垂直状部３２ａを介して下部開口部５ｂ形成用の傾斜状部３２ｂが連設されてなる入れ子３２、又は、底部型板２３の端部近傍に長手方向に沿って上部開口部５ａ形成用の略垂直状部３２ａを介して下部開口部５ｂ形成用の傾斜状部３２ｂが連設されるとともに、略垂直状部３２ａに並列して底部型板２３に接続すべき流入孔５′形成用の起立部３２ｃが傾斜状部３２ｂに連設されてなる入れ子３２′を、その傾斜状部３２ｂの先端を内枠２１に向けて上向き傾斜状として接続するとともに、上記先端を内枠２１表面に近接させ、上記コンクリート材料２６の硬化後に、入れ子３２又は３２′を残して妻枠３０、内枠２１、外枠２２及び底部型板２３を脱型した後、側溝用ブロック１内に残存せる入れ子３２又は３２′を除去することを特徴とするものである。
【発明の効果】
【００１４】  本発明の側溝用ブロックは、ブロック本体の幅方向に傾斜面をなす上面の低部側端部近傍に長手方向に沿うスリット状の開口部が設けられているため、横断勾配が付されてなる道路幅員方向の端部に埋設施工された際、ブロック本体の上面低部側端部が、上記道路横断勾配と一連方向の勾配を有する前記傾斜面に連なって道路幅員方向の最端部に位置され、これに伴い開口部が道路幅員の最端部近傍、即ち、道路面とブロック本体の上面が一連方向の勾配をもって連設されることで表面水が流下集積する下り斜面の終点近傍に位置されて排水効率がよいとともに、開口部が目立たず、道路幅がすっきり広く見え、道路景観を向上させることができ、排水性及び都市景観を重視する場所等に好適に使用できる。【００１５】  又、上面の開口部が道路幅員方向の最端部付近に位置されることから、開口部が走行車両のタイヤに踏まれず、破損、損傷等することがなく、又、開口部に蓋が嵌め込まれても、蓋が走行車両のタイヤに踏まれるようなことがなく、従来のような蓋のがたつき、浮き上がり、外れ、損傷、或いはこれらに起因する事故発生の危険性等がなく、更に、歩車道境界部で縁石を隣接させて側帯を構成するべく埋設施工された場合にも、上面開口部が道路幅員方向の最端部付近で縁石のすぐ傍に位置されるため、歩行者が縁石を乗り越えて側帯（車道側）に足を踏み入れた際等、開口部や蓋を跨ぎ切ってこれらを踏まず、従来のように靴が引掛かったり、滑ったり、或いはつまずく恐れがなく、人及び車両に対する安全性を向上させることができる。
又、開口部の全体又はその下部開口部が排水路側に向けて斜降状をなして排水路と連通されているため、ブロック本体の上面に沿ってその低部側端部に片寄って流下集積せる表面水を、開口部内を経由させ排水路に向けて速やかに導くことができ、更に、開口部の上部開口部が略垂直状となされている場合には、上記表面水が上面から上部開口部内へ落下、流入する際の抵抗並びに損失を少なくせしめて表面水を上部開口部内に速やかに流下、流入させることができ、排水効率が更に高められる。【００１６】  又、本発明の側溝用ブロックは、ブロック本体の上面に開口部と略並列状に長手方向に沿う流入孔が少なくとも１個設けられ、該流入孔が略垂直状をなして開口部の排水路側に向けて斜降状をなす部分に連通されているため、上記した開口部の排水効果に加え、更に略垂直状の流入孔によってブロック本体上面の表面水を抵抗なく速やかに開口部内へ落下、流入させることができ、排水効率をより一層向上させることができる。【００１７】  又、本発明の側溝用ブロックは、流入孔がその開口基部の長手方向一端又は両端に該長手方向に沿う導水溝を連通して形成されるとともに、該導水溝の底部が開口基部側に向かって下降する傾斜面となされ、上記開口基部が開口部に連通されているため、導水溝によってブロック本体上面での流入孔の開口長さを長く、又、開口面積を広くして表面水の集水及び排水効率を更に高め、且つ、ブロック本体の長手方向において、上面での流入孔の開口長さよりも開口部と連通する孔本体をなす開口基部の長さを短くすることで、開口基部の占有割合を少なくして、流入孔を設けることによる断面欠損、強度損失を極力抑え、上載荷重が加わっても上面を構成する頂板やブロック本体の亀裂、破損等の発生防止を図ることができる。【００１８】  又、本発明の側溝用ブロックは、開口部の全体又はその下部開口部が排水路側に向けて斜降状をなして排水路の底部から少なくとも所定高さ以上の位置で排水路と連通されているため、排水路内における許容水深を上記所定高さ以下に設定可能となし、排水路内の流水を排水路に開口する開口部又は下部開口部の斜降側末端と接触させずに、流下損失、抵抗が伴うことなく排出でき、排水路内での排水性を損なうようなことがない。
更に、排水路内の流水が開口部又は下部開口部を逆流して上面側に噴出することを未然に防止できる。【００１９】  又、本発明の側溝用ブロックは、上部開口部がその開口基部の長手方向一端又は両端に該長手方向に沿う導水溝を連通して形成されるとともに、該導水溝の底部が開口基部側に向かって下降する傾斜面となされ、上記開口基部に下部開口部が連通されているため、導水溝によってブロック本体上面での開口長さを長く、又、開口面積を広くなされた上部開口部が表面水の集水及び排水効率を更に高め、且つ、上部開口部の開口基部に、該開口基部の長さとその長さを略合致せしめて下部開口部が連通されることで、ブロック本体の長手方向に沿う上部開口部の長さよりも導水溝の長さを含まない分だけ下部開口部の長さが短くなり、ブロック本体の長手方向において排水路と連通する開口部の占有割合を少なくして、開口部を設けることによる断面欠損、強度損失を極力抑え、上載荷重が加わっても上面を構成する頂板やブロック本体の亀裂、破損等の発生防止を図ることができる。【００２０】  又、本発明の側溝用ブロックは、開口部、流入孔の上端縁の一部又は全体が段状をなすべく、上面から凹陥する凹段部がその上端外側に連設されてなるため、上面において排水路と連通する開口部、開口部に連通する流入孔の開口度合を増大させることなく、その上縁で凹段部が集水域を広めると同時に、上面と開口部や流入孔との間で段状を呈することで上面の低部側端部近傍に集積する表面水に対して漏斗作用を奏し、開口部や流入孔内への表面水の流入、落下を促進せしめて排水効率を一層高めることができる。
更に、凹段部は上記導水溝と同様に、ブロック本体の上面に対する断面欠損、強度損失が小さいため、その強度維持に寄与することができる。【００２１】  又、本発明の側溝用ブロックの上面開口部の形成方法は、側溝用ブロックの上面を形成する外枠の底部型板に、その端部近傍に長手方向に沿って上部開口部形成用の略垂直状の第一中子を介して下部開口部形成用の第二中子をその先端を内枠に向けて上向き傾斜状に接続するとともに、上記先端を内枠表面に近接させ、型枠内のコンクリート材料の硬化後に、第一、第二中子を残して妻枠、内枠、外枠及び底部型板を脱型し、側溝用ブロック内に残存せる第一中子を底部型板が存した側に外した後第二中子を内枠が存した側に外すか、又は、第一中子を底部型板側に外し、第二中子を残して妻枠、内枠、外枠及び底部型板を脱型し、側溝用ブロック内に残存せる第二中子を内枠が存した側に外すか、又は、第二中子を残して妻枠、内枠、外枠及び底部型板とこれに固着した第一中子を脱型した後、側溝用ブロック内に残存せる第二中子を内枠が存した側に外すため、側溝用ブロックの上面にその長手方向に開口して内部の排水路に連通する屈曲した開口部、即ち、互いに方向性を異にする２つの開口の各先端が連結されて屈曲状を呈する開口部を、側溝用ブロックの製造時に無理なく容易に形成できるとともに、その形成時における作業性を向上させることができる。
更に、第二中子の先端は、内枠表面と当接することなくその表面に近接させるため、その上位に横架せる内枠と衝突等して位置ずれや損傷、破損することがなく、安定形状の下部開口部を常時形成できる。【００２２】  又、本発明の側溝用ブロックの上面開口部の形成方法は、側溝用ブロックの上面を形成する外枠の底部型板に、その端部近傍に長手方向に沿って上部開口部形成用の略垂直状の第一中子及び第三中子を介して下部開口部形成用の第二中子をその先端を内枠に向けて上向き傾斜状に接続するとともに、上記先端を内枠表面に近接させ、型枠内のコンクリート材料の硬化後に、第二、第三中子を残して妻枠、内枠、外枠及び底部型板とこれに固着した第一中子を脱型し、側溝用ブロック内に残存せる第二、第三中子を内枠が存した側に外すか、又は第一、第二、第三中子を残して妻枠、内枠、外枠及び底部型板を脱型し、側溝用ブロック内に残存せる第一中子を底部型板が存した側に外した後、第二、第三中子を内枠が存した側に外すか、又は、第一中子を底部型板側に外し、第二、第三中子を残して妻枠、内枠、外枠及び底部型板を脱型し、側溝用ブロック内に残存せる第二、第三中子を内枠が存した側に外すため、上記形成方法と同様に、側溝用ブロックの上面にその長手方向に開口して内部の排水路に連通する屈曲した開口部を、側溝用ブロックの製造時に無理なく容易に形成でき、その形成時の作業性の向上を図ることができ、第二中子の先端を内枠表面と当接することなくその表面に近接させるため、その上位に横架せる内枠と衝突等して位置ずれや損傷、破損することがなく、安定形状の下部開口部を常時形成できる。
更に、側溝用ブロックの上部開口部を略垂直状の第一中子及び第三中子によって、又、下部開口部を第二中子によって形成することで中子を小分けにして脱型に際して順次中子を外すため、脱型時における側溝用ブロックの開口部の損傷を防止でき、製造する側溝用ブロックの品質向上を図ることができる。【００２３】  又、本発明の側溝用ブロックの上面開口部の形成方法は、側溝用ブロックの上面を形成する外枠の底部型板に、その端部近傍に長手方向に沿って上部開口部形成用の略垂直状部を介して下部開口部形成用の傾斜状部が連設されてなる入れ子、又は、底部型板の端部近傍に長手方向に沿って上部開口部形成用の略垂直状部を介して下部開口部形成用の傾斜状部が連設されるとともに、略垂直状部に並列して底部型板に接続すべき流入孔形成用の起立部が傾斜状部に連設されてなる入れ子を、その傾斜状部の先端を内枠に向けて上向き傾斜状として接続するとともに、上記先端を内枠表面に近接させ、型枠内のコンクリート材料の硬化後に、入れ子を残して妻枠、内枠、外枠及び底部型板を脱型した後、側溝用ブロック内に残存せる入れ子を除去するため、上記形成方法と同様に、側溝用ブロックの上面にその長手方向に開口して内部の排水路に連通する屈曲した開口部、又は、該開口部に上記長手方向の開口に並列せる流入孔を付加してなる開口部を、側溝用ブロックの製造時に無理なく容易に形成でき、その形成時の作業性の向上が図れ、入れ子の先端を内枠表面と当接することなくその表面に近接させるため、その上位に横架せる内枠と衝突等して位置ずれや損傷、破損することがなく、安定形状の下部開口部を常時形成できる。
更に、側溝用ブロックの開口部、流入孔を形成すべく、略垂直状部に傾斜状部が連設されるか、又は上記傾斜状部に更に起立部が連設されてなる入れ子を用い、型枠からの脱型後、側溝用ブロック内に残存せる入れ子を除去するために、入れ子の材質を適宜選択することで、通常中子（繰り返し再使用する中子で、剛体からなるもの）では成形不能な形状（例えて、開口先端寸法に対してその奥部寸法が拡開した所謂アリ溝形状、逆勾配形状等）をも形成でき、成形形状が制約を受けないという利点がある。
【発明を実施するための最良の形態】
【００２４】  以下、図面を参照しながら本発明の実施の形態について説明する。
図１は本発明の側溝用ブロックの一実施の形態を示し、１は本実施形態の側溝用ブロックであって、横長状のコンクリート製ブロック本体２の内部に長手方向にわたって断面円形状の排水路４が貫設され、ブロック本体２の上面３が長手方向と直交する幅方向に向けた傾斜面となされ、該傾斜面をなす上面３の低部側端部３ａ近傍に、長手方向に沿ってスリット状の開口部５が断続して２箇所に設けられ、図１（ホ）に示す如く、開口部５の上記上面３に開口する略垂直状をなす上部開口部５ａに連続された下部開口部５ｂが、排水路４側に向けて斜降状をなして排水路４の底部から所定高さｈ以上の位置、例えば本実施形態の場合には底部から頂部までの全体の約８割の高さ以上の位置で排水路４と連通されてなる。【００２５】  上記傾斜面をなす上面３は、図１（ホ）に示すように、詳しくは、幅方向の高部側端部３ｂから開口部５までが下り勾配の傾斜面となされ、開口部５から低部側端部３ａまでが若干上り勾配の傾斜面となされ、開口部５が上面３の最低部に位置され、上面３の幅方向に沿って路面の雨水等、表面水を開口部５に導くべくなされている。
又、図２（イ）乃至（ニ）に示すように、開口部５は上部及び下部開口部５ａ，５ｂからなり、ブロック本体２の上面３にその長手方向に沿って開口する上部開口部５ａは、その略中央の開口基部５ｃの長手方向両端に、該長手方向に沿ってそのまま延びることで上面３から凹陥する導水溝５ｄが連通されて形成され、開口基部５ｃの下位に排水路４と連通する下部開口部５ｂが連通されるとともに、上記導水溝５ｄの底部が夫々開口基部５ｃ側（下部開口部５ｂ側）に向かって下降する傾斜面５ｅとなされている。【００２６】  即ち、上部開口部５ａは本来の排水用開口部をなす開口基部５ｃに凹状をなす導水溝５ｄが連通されることにより、ブロック本体２の上面３での開口長さを長く、又、開口面積を広くして表面水の集水及び排水効率を高めるようになされている。又、上部開口部５ａの略中央の開口基部５ｃ下位に、該開口基部５ｃの長さとその長さを略合致せしめて下部開口部５ｂが連通されることにより、ブロック本体２の長手方向に沿う上部開口部５ａの長さよりも導水溝５ｄの長さを含まない分だけ下部開口部５ｂの長さが短くなされ、集水及び排水性を良好に保ちながらもブロック本体２の長手方向において排水路４と連通し、上面３を分割してその幅方向での頂板を片持梁状となす下部開口部５ｂの占有割合を極力抑え、ブロック本体２、特に、上面３を構成する頂板の十分な強度維持が図られている。
尚、上記図２において、上部開口部５ａの開口基部５ｃの深さ（ブロック本体２の上面３から下部開口部５ｂの上端までの深さ）がそのままで、導水溝５ｄの溝深さが浅くなされてもよいし、又、導水溝５ｄの断面は略凹状、Ｕ状等適宜形状であればよいし、開口基部５ｃの両側の導水溝５ｄの長さも必ずしも等しくなくともよく、又、その片側にのみ導水溝５ｄを設けてもよい。
尚又、スリット状と称する上部開口部５ａの上面開口幅（長手方向と直交する寸法）も適宜に設定されればよいが、該幅を９〜１５ｍｍ程度に設定すると、車いすのキャスター、白杖の先端、ハイヒール等が落ち込まず安全上好ましい。【００２７】  又、図１（イ）、（ハ）及び（ニ）に示すように、ブロック本体２は、その長手方向両端面の下位両側に本体部分から突出するフランジ７が夫々設けられ、ブロック本体２の正面側にあるフランジ７部分と、該フランジ７の上下斜め対角線上に位置する本体部分には、ブロック連結用のボルト挿通孔８が設けられ、ボルト、ナット等の挿通とその締結作業を容易にすべくボルト挿通孔８と連設する凹所９が背面側の二方に形成されている。即ち、ブロック本体２は、施工時に排水路４を連通すべくその長手方向の端面同士が止水パッキン等を介して当接され、ボルト、ナット等により連結可能となされている。【００２８】  次に、本実施形態の側溝用ブロック１の施工例について説明すると、図３に示すように、道路幅員方向の端部、即ち、歩道と車道の境界部にあって、ブロック本体２の傾斜面をなす上面３の高部側端部３ｂが車道側に、又、低部側端部３ａが歩道側で縁石１２に隣接して埋設施工され、その結果上面３のスリット状の開口部５（上部開口部５ａ）が車道幅員方向の側帯最端部付近で縁石１２のすぐ傍に位置される。勿論上述したように、複数の側溝用ブロック１の排水路４を連通すべく長手方向に隣接するブロック本体２はボルト、ナット等により互いに連結固定される。【００２９】  かかる側溝用ブロック１によれば、上面３の開口部５（上部開口部５ａ）が車道幅員方向の側帯最端部付近で縁石１２のすぐ傍に位置されて目立たないとともに、道路の雨水等、表面水が、道路面に付される横断勾配と一連方向の勾配を有して道路面と連なってなるブロック本体２の上面３の幅方向に向けた傾斜面に沿ってその低部側に導かれて流下集水され、上面３の低部側端部３ａ近傍に開口する上部、下部開口部５ａ，５ｂを介して排水路４内に排水される。
この時、上部開口部５ａが略垂直状をなすため、ブロック本体２の上面３上を流下集積した表面水が上部開口部５ａの導水溝５ｄ内や直接開口基部５ｃ内へ落下、流入する際の抵抗並びに損失を少なくせしめて表面水の流入を速やかに行わせるとともに、導水溝５ｄ及びその傾斜面５ｅに沿って下部開口部５ｂ内に導かれて排水効率がよく、通常、上面３は道路縦断勾配に沿いその長手方向に傾斜して施工されるので導水溝５ｄの導水効果が顕著となる。
又、下部開口部５ｂが排水路４側に向け斜降状をなして排水路４と連通しているため、傾斜面をなす上面３に沿ってその低部側端部３ａ方向に片寄って流下集積せる表面水を上部開口部５ａから取り込んで排水路４に向けて速やかに排水できる。
更に又、上記下部開口部５ｂは排水路４の底部から所定高さｈ以上の位置で排水路４と連通されているため、排水路４内における許容水深を上記所定高さｈ以下に設定することで、排水路４内の流水を排水路４に開口する下部開口部５ｂの斜降側末端と接触させずに流下損失、抵抗が伴うことなく排出でき、排水路４内での排水性を損なうことなくスムーズな排水を可能になすとともに、排水路４内の流水が開口部５を逆流して上面３側に噴出することを防止できる。【００３０】  図４は本発明の側溝用ブロックの他実施の形態を示し、本実施形態の側溝用ブロック１は、上記図１に示すものとその外郭形状は略同様であって、開口部５の形状、構造が上記のものと異なるものであり、同様部分は上記の説明を援用し、異なる部分について説明する。
本実施形態の側溝用ブロック１では、図４（ロ）に示すブロック本体２の上面３に長手方向に沿い断続するスリット状の開口部５が、図４（ホ）に示すように、その全体が排水路４側に向けて直線的に斜降状をなして排水路４の底部から所定高さｈ以上の位置で排水路４と連通されている。
即ち、開口部５はブロック本体２の長手方向と直交する開口幅が上面３から排水路４側に向かって漸次広くなされるとともに、長手方向に沿い所定開口長さを有してその全体が略一様に形成されている。【００３１】  本実施形態の側溝用ブロック１の施工についても図１の実施形態と同様である（図５参照）。又、かかる側溝用ブロック１でも、上記と同様に、側帯における開口部５の存在が目立たず、表面水が上面３の低部側端部３ａ側に速やかに集水されて該所近傍に開口する開口部５を介して排水路４内に排水され、開口部５は排水路４の底部から所定高さｈ以上の位置で排水路４と連通されているため、排水路４内での排水性を損なわず、又、上面３側への噴出を防止してスムーズに排水される。【００３２】  尚、本発明の側溝用ブロック１は上記実施形態のものに限定されることなく、本発明の意図する範囲内で種々の設計変更が可能である。
即ち、ブロック本体２は上記形状のものに限定されず、例えば図６（イ）乃至（ヘ）に示す如き外郭形状で排水路４を内在する横長の筒状体等、適宜形状で適宜長さを有し、少なくともその上面３が長手方向と直交する幅方向に向けた傾斜面に形成されていればよく、その傾斜面も上記（開口部５から低部側端部３ａまでが上り勾配の傾斜面）以外に、図６（イ）、（ハ）及び（ホ）に示す如き幅一方向全体にわたる一様な傾斜面となされてもよいし、図６（ロ）に示すように（破線部を含む）、低部側端部３ａと開口部５間が縁石状をなすべく上方に隆起されその上端面が、開口部５側へ斜降する比較的幅の広い傾斜面や略水平面となされてもよい。
上記ブロック本体２の内部の排水路４の断面形状も、上記実施形態や図６（イ）及び（ロ）に示す如き円形状に限定されず、図６（ハ）及び（ニ）に示す如き方形状、図６（ホ）に示す如き卵形状若しくは縦長だ円形状、図６（ヘ）に示す如き縦長円形状の他、欠円形状、多角形状等、適宜形状となされてもよい。【００３３】  又、開口部５は、その全体が排水路４側に向けて、その傾斜角度を限定することなく斜め真直ぐに斜降状をなして設けられる他、適宜湾曲や屈曲状等に斜降状をなしてもよく、特に上記実施形態や図６（ニ）、（ホ）及び（ヘ）に示すように、上部開口部５ａが略垂直状をなし、これに連続する下部開口部５ｂが斜降状をなしていると、上記したようにブロック本体２の上面を流下した表面水を、流水落下に伴う抵抗及び損失を減衰せしめて上部開口部５ａ内に効率よく流下、流入させることができ、又、ブロック本体２、特に、上部開口部５ａの上端で高部側端部３ｂ側に位置する上面３の端縁が薄肉、鋭角状とならず、強度的な面でも好ましい。
上記斜降状をなす開口部５、下部開口部５ｂは、排水路４の底部から少なくとも所定高さｈ以上の位置で排水路４と連通されるのが好ましく、排水路４内が所定の水深（所定高さｈ以下）まで確保可能でその排水性を損なわなければよいとともに、上記所定高さｈも排水路４の大きさや必要な排水量等によって適宜決められればよい。【００３４】  又、開口部５が上部開口部５ａと下部開口部５ｂとからなる場合、上記実施形態では、下部開口部５ｂの長さがその両側に導水溝５ｄを有してブロック本体２の長手方向に沿う上部開口部５ａの長さの略１／３程になされているが、かかる長さの比率は特に限定するものではなく、排水効率及びブロック本体２の強度面から適宜決められればよい。
又、上記と異なり、上部開口部５ａをその導水溝５ｄをなくして略垂直状をなす開口基部５ｃのみとなし、これに傾斜状をなす下部開口部５ｂを連通して開口部５全体を屈曲状、即ち、上部開口部５ａと下部開口部５ｂの上記長手方向に沿う長さを等しく一様となして開口部５全体を屈曲状としてもよい。【００３５】  又、開口部５は、ブロック本体２の傾斜面をなす上面３の低部側端部３ａ近傍や該低部側端部３ａ側に沿う縁石状等、隆起部の上面３との付根部近傍に長手方向に沿って設けられればよく、上記実施形態と図６（ロ）、（ニ）及び（ヘ）に示す如く上面３の最低部に位置されるのが排水性の面で好ましいが、図６（イ）、（ハ）及び（ホ）に示す如く一様な傾斜面の途中でその最低部（低部側端部３ａ）近傍に位置されてもよい。
更に、開口部５は、ブロック本体２の強度面から、長手方向に沿って断続して設けられるのが好ましい。例えば、図１（ロ）に示す如く長手方向に沿う開口部５と該開口部５間の閉塞部の長さが略等しくてもよいし、或いは開口部５に比し上記閉塞部の長さが長くてもよいし、或いは図７（イ）に示す如く逆に開口部５に比し閉塞部が短くて上記よりも開口部５の数が増えてもよく、いずれにしても排水性とブロック本体２、特に、上面３を構成する頂板の強度を考慮して、長手方向に適宜長さを有する開口部５が適宜間隔をあけて断続的に設けられればよい。
尚、開口部５は上記断続的な配置に限定されず、上面３を構成する頂板の強度が向上されることで、上面３の長手方向の全長又は図７（ロ）に示す如く略全長にわたって連続して設けられてもよい。
更に、上、下部開口部５ａ，５ｂからなる開口部５は、図７（ホ）に示す如く、上面３の長手方向に隣接する上部開口部５ａどうしが直列状に連結されることにより、２個の開口部５が合体されて１個の開口部５が形成されてもよい。【００３６】  又、上面３の開口部５は前記スリット状（狭幅）で開放状態のままでもよいし、例えば図８（イ）に示す如く、開口部５（上部開口部５ａ）の相対する開口縁部に夫々凹状の蓋受部１４を設け、開口部５に沿う細長状の通水用蓋１０の両縁部を蓋受部１４で支持してもよく、又、上記通水用蓋１０としては、多数の透孔１０ａが穿設されてなる細長状有孔板や格子蓋、グレーチング等、適宜形状や構造のものが使用されればよい。
尚、断続又は連続する１つの開口部５が長手方向に長い場合等、通水用蓋１０に代えて、上面３を構成する頂板の強度を保持、補強するための部材が、長手方向の適宜箇所で蓋受部１４に支持されて相対する開口縁部間に設けられたり、或いは開口部５が開放状態で、その開口縁部間等に幅方向にわたる部材が、予めブロック本体２と一体をなして長手方向の適宜箇所に横架、植設されてもよく、これらの場合には開口部５の形成により分割された上面３（頂板）の連続性を回生でき、外力等が加わっても上記部材が有効に作用して上面３の強度保全を図ることができる。【００３７】  又、上面３における開口部５の形態は前記スリット状、即ち、一定の狭幅状であってもよいし、例えば図９及び図１０に示すように、スリット状の開口部５，５ａの上端縁の長手方向両末端部が段状をなすべく、上面３から凹陥する凹段部５ｆがその末端部外側に平面視略円形を呈して連設されてもよい。
しかして、上記凹段部５ｆは、本来の集排水孔をなす開口部５，５ａの上端縁でその外側に膨出して上面３と連なる段状を形成するため、上面３における開口部５，５ａの開口度合を増大させることなく、その上縁で上記凹段部５ｆが集水域を広めると同時に、上面３と開口部５，５ａとの間で段状を形成することで、上面３上で凹段部５ｆの周辺に集積する表面水に対して上記段状が漏斗作用を奏し、開口部５，５ａ内への表面水の流入、落下を促進せしめて排水効率を一層高めることができる。
更に又、凹段部５ｆは上面３の最低部に臨み、ブロック本体２の長手方向に沿う開口部５，５ａの両端部で平面視略円形に膨出して凹陥するため、開口部５，５ａの集水作用、詳しくは、ブロック本体２の長手方向と直交若しくは適宜角度をなして斜めに道路面から上面３へ流入する表面水の集水作用に加えて、上面３の最低部近傍に集積して該所を長手方向に沿って流下する表面水をも上記凹段部５ｆで幅広く捕えてその漏斗作用をもって開口部５，５ａへ効率よく流入、落下させることができる。
尚又、凹段部５ｆは、前記導水溝５ｄと同様に、ブロック本体２の上面３に対する断面欠損、強度損失が小さいために、その強度維持に寄与することができる。【００３８】  又、上記凹段部５ｆの平面形状及び連設位置は一例で適宜であればよく、例えて図１１（イ）乃至（ニ）に示すように、開口部５，５ａに対して単独的、連続的又は断続的、或いは対称的又は非対称的に種々平面形状の凹段部５ｆを連設してもよいし、図８（ロ）に示すように、通水用蓋１０を支持する蓋受部１４の上端部に上記凹段部５ｆを追設できる他、本発明の意図する範囲内で自由に設定可能である。【００３９】  又、ブロック本体２の上面３に形成された上記開口部５に加え、上面３に開口部５と略並列状に長手方向に沿う適宜長さを有する流入孔５′が少なくとも１個設けられ、該流入孔５′が略垂直状をなして開口部５の排水路４側に向けて斜降状をなす部分に連通されてもよく、この場合には流入孔５′によって更に排水効率を高めることができる利点がある。
例えば図１２（イ）の左半部及び（ロ）に示すように、上記流入孔５′の形態は、長手方向に沿い開口部５（上部開口部５ａ）と略同長でスリット状となされ、略垂直状をなして開口部５の下部開口部５ｂに連通されてもよい。又、図１２（イ）の右半部及び（ハ）に示すように、上記流入孔５′の形態は、長手方向に沿い開口部５（上部開口部５ａ）より短いスリット状、更に短い別のスリット状をなす２個のものが順次開口部５と略並列状に設けられ、各流入孔５′が略垂直状をなして夫々開口部５の下部開口部５ｂに連通されてもよい。【００４０】  又、図１３（イ）の左半部及び（ロ）に示すように、スリット状の流入孔５′の上端縁の長手方向両末端部が段状をなすべく、上面３から凹陥する凹段部５ｆがその末端部外側に平面視略円形を呈して連設され、流入孔５′が略垂直状をなしてその全体が排水路４側に向けて斜降状をなす開口部５に連設されてもよい。この場合、凹段部５ｆの形態に関する点や凹段部５ｆによる効果は上記開口部５の凹段部５ｆにおけるものと同様である。
又、図１３（イ）の右半部、（ハ）及び（ニ）に示すように、スリット状の流入孔５′が、その略中央の孔本体をなす開口基部５ｃ′の長手方向両端に、該長手方向に沿う導水溝５ｄ′を連通して形成されるとともに、該導水溝５ｄ′の底部が開口基部５ｃ′側に向かって下降する傾斜面５ｅ′となされ、上記開口基部５ｃ′が、その全体が排水路４側に向けて斜降状をなす開口部５に連設されてもよい。この場合も、流入孔５′の効果や導水溝５ｄ′の形態については上記開口基部５ｃ、導水溝５ｄ、傾斜面５ｅを有する開口部５におけるものと同様である。
尚、流入孔５′を設けるにあたって、必ずしも図１２及び図１３に例示するものに限定されず、流入孔５′の形態が種々変更されてもよいことは勿論である。【００４１】  次に、本発明の側溝用ブロック１の開口部５、詳しくは上部開口部５ａと下部開口部５ｂとからなる屈曲状をなす開口部５（例えば図２に示す開口部５）の形成方法についてその型枠構造とともに説明する。
図１４及び図１５に型枠２０の全体を簡略化して示すように、型枠２０は組立分解自在な上面開口型であって、例えば上記図１に示す側溝用ブロック１の外郭形状を形成する略箱形状でその両側が側溝用ブロック１の幅方向外側に開放可能なヒンジ式の外枠２２と、該外枠２２の長手方向両端を夫々閉塞する妻枠３０との内部に、該両側の妻枠３０間にわたり断面円形の排水路４形成用の略円筒状の内枠２１が横架され、上面から型枠２０内にコンクリート材料２６を充填して側溝用ブロック１を製造するものである。
該側溝用ブロック１の製造時に上記開口部５を形成するために、側溝用ブロック１の上面３を形成する外枠２２の底部型板２３に、その幅方向端部近傍の所定位置にその長手方向に沿って、上部開口部５ａ形成用の略垂直状をなす第一中子２４を介して下部開口部５ｂ形成用の上向き傾斜状をなす第二中子２５を組立分解自在に接続しておくものであり、以下これに関して詳述する。【００４２】  上記外枠２２の底部型板２３の第一中子２４を取付ける部分には、図１７（イ）及び（ロ）に示すように、上記上部開口部５ａの開口縁に面取を施すための面取形成部２３ａが設けられ、該面取形成部２３ａは、後述する第一中子２４の底面に略適合する細長状の平らな頂面を有して底部型板２３の表面から山形状に若干突出している。又、該面取形成部２３ａの長手方向両端部にノックピン２３ｂが略垂直状に貫通されて表面から突出され、長手方向を略３等分する２箇所にボルト孔２３ｃが略垂直状に設けられている。【００４３】  第一中子２４は、図１８（イ）乃至（ニ）に示すように、上記図２に示す上部開口部５ａの形状に適合する外郭形状を有する細長状で、その上面略中央部に凸部２４ａ、長手方向両端部の底面に上記ノックピン２３ｂと嵌合可能なピン孔２４ｂ、長手方向を略３等分する２箇所に上記ボルト孔２３ｃと連通可能なボルト孔２４ｃが略垂直状に夫々設けられている。
第二中子２５は、図１９（イ）乃至（ホ）に示すように、上記図２に示す下部開口部５ｂの形状に適合する外郭形状を有する板状で、断面山形状の頂面の一方の所定勾配で傾斜した上面に、その略中央部に第一中子２４の凸部２４ａと嵌合可能な凹部２５ａ、長手方向両端部に第一中子２４のボルト孔２４ｃと連通可能なボルト孔２５ｂが夫々設けられている。【００４４】  しかして、図１６（イ）及び（ロ）に示すように、外枠２２の底部型板２３に第一、第二中子２４，２５を接続するのであるが、その接続方法は、底部型板２３の面取形成部２３ａ上に第一中子２４を略垂直状に位置させ、面取形成部２３ａ上のノックピン２３ｂに底面のピン孔２４ｂを嵌合してボルト孔２３ｃ，２４ｃを互いに連通させ、略水平状をなす第一中子２４の略中央部上に第二中子２５をその上面を下側に、且つ、略水平状にして第二中子２５全体が傾斜状をなすべく位置させ、第一中子２４の凸部２４ａに凹部２５ａを嵌合してボルト孔２４ｃ，２５ｂを互いに連通させ、一方、底部型板２３の下方からボルト２７を上記ボルト孔２３ｃ，２４ｃ，２５ｂに挿通することで互いに接続する。
上記接続に際して、図１６（イ）に示すように、第二中子２５はその先端（第一中子２４側と反対側の上端部）を内枠２１に向けて上向き傾斜状に接続するとともに、上記先端を内枠２１の表面に近接させ、内枠２１の表面との間に隙間を設けて位置させる。即ち、上記第二中子２５の先端は、第一、第二中子２４，２５を組み付けた後に両妻枠３０間に横架せる内枠２１と衝突等して位置ずれや破損、損傷することがないため、型枠２０内に常時安定した状態で組み付けられる。【００４５】  本発明方法は、上記のようにして第一、第二中子２４，２５を組み付けた上記型枠２０内に充填したコンクリート材料２６の硬化後、まず第一、第二中子２４，２５を残して脱型する。即ち、両妻枠３０及び内、外枠２１，２２を分解するとともに、ボルト２７を外して底部型板２３と第一、第二中子２４，２５の接続を解き、製造した側溝用ブロック１を外枠２２（底部型板２３）から取り出すと、図２０（イ）に示すように、側溝用ブロック１の内部に第一、第二中子２４，２５が残るとともに、第二中子２５と内枠２１が存した（排水路４）間とにコンクリート薄壁２８が形成された状態となる。
次いで、図２０（ロ）に示すように、第一中子２４を側溝用ブロック１の上方（矢印方向、底部型板２３が存した側）に外す。この第一中子２４の外し方は、例えばボルト孔２４ｃを利用して第一中子２４にボルト止めした部分を引上げる機構を備えた脱型治具により第一中子２４を引き上げる等、適宜の手段を採用すればよい。
次いで、図２０（ハ）に示すように、側溝用ブロック１の上方から例えば棒状の治具２９を第一中子２４を外した跡に形成された上部開口部５ａに挿入し、その下部先端を第二中子２５の凹部２５ａに係合してやや斜め下方に押し込み、第二中子２５を上記コンクリート薄壁２８を突き破って内枠２１が存した側（排水路４側）に外す。尚、この第二中子２５を外す手段は、上記治具２９の使用以外の方法、例えて図２０（ニ）に示すように、排水路４にその支持脚部を当接するとともに、第二中子２５と螺合せるハンドルの回転、締結力を引張力に置換して第二中子２５を排水路４側から引き抜く回転ハンドル式治具２９′による方法でもよいし、又、これら以外の方法でもよい。【００４６】  以上のようにして開口部５を形成するが、上記第一、第二中子２４，２５の形状や構造は一例であって、例えて、図２１に示すように、第二中子２５の斜降状態がきつく（水平に対する傾斜度合が大きく）なされ、その略垂直状をなす頂面と斜降状をなす傾斜面との連設屈折部２５ｃを隅丸状に形成し、且つ、第一中子２４と略水平状に当接する第二中子２５の上面の幅を第一中子２４の幅より広く形成すると、第一、第二中子２４，２５の接続に際する第二中子２５の位置ずれが、その幅広分だけ許容されて相互の接続不備が生じ難く、又、第二中子２５の内枠２１方向への取り外し時に接触抵抗が減じられてスムーズな取り外しが行え、更に、当該第一、第二中子２４，２５によって形成される開口部５は、その屈曲部における開口幅が上部開口部５ａより広くなされ、且つ、なだらかな円弧面を有して排水性がより向上するとともに、該所に土砂、ゴミ等が停滞しない等の作用を奏して好ましいが、これらに限定されることなく、所望の開口部５（上部、下部開口部５ａ，５ｂ）の形状に適合するとともに、脱型を考慮した組立分解自在に接続可能な形状、構造であればよく、加えて、上記ノックピン２３ｂ、ピン孔２４ｂ、凸部２４ａ、凹部２５ａ等の嵌合部を設けると第一、第二中子２４，２５の組み付け、位置決めを簡略化でき好ましいが、かかる嵌合部は必ずしも設けられなくてもよいとともに、型枠２０（内枠２１、外枠２２、底部型板２３、妻枠３０）についても側溝用ブロックに適合する形状となされればよい。【００４７】  要は、側溝用ブロック１の製造時に、外枠２２の底部型板２３の所定位置に、略垂直状をなす第一中子２４を介して第二中子２５をその先端を内枠２１に向け上向き傾斜状に接続して上記先端を内枠２１表面に近接させておき、脱型時に第一、第二中子２４，２５を残し、第一中子２４を底部型板２３が存した側に外した後、第二中子２５を上記コンクリート薄壁２８を突き破って内枠２１が存した側に外せばよい。
尚、上記例では第一中子２４を取付ける外枠２２の底部型板２３に面取形成部２３ａを設けているが、第一中子２４の底部に予め上部開口部５ａの開口縁の面取形成部を設けると、上記面取形成部２３ａを設ける必要がなく、更に第一中子２４とは無関係に上記面取形成部２３ａ自体を必ずしも設けなくともよい。【００４８】  更に、本発明方法は上記方法を変形した他の方法が採用されてもよく、その例について以下に述べる。
図２２（イ）、（ロ）及び（ニ）の場合は、上記例と略同様でその一部を変更したものであって、側溝用ブロック１の製造時に、図２２（イ）に示す如く、上記例と同様に外枠２２の底部型板２３の所定位置に、略垂直状をなす第一中子２４を介して第二中子２５をその先端を内枠２１に向け上向き傾斜状に接続して上記先端を内枠２１表面に近接させておくが、この時、予め第一中子２４を底部型板２３にその下側方向に取り外し可能に設けておき、脱型に際して、図２２（イ）及び（ロ）に示す如く、まず第一中子２４を底部型板２３側に外す点で上記例と異なり、その後は図２２（ニ）に示す如く、第二中子２５を残して妻枠３０、内枠２１、外枠２２及び底部型板２３を脱型し、側溝用ブロック１内に残存せる第二中子２５を上記例と同様に内枠２１が存した側に外すものである。
又、図２２（ハ）及び（ニ）の場合も、上記例と略同様でその一部を変更したものであって、上記図２２（イ）及び（ロ）に示す例と異なる点は、図２２（ハ）に示す如く予め第一中子２４を底部型板２３に固着しておき、脱型に際して、図２２（ニ）に示す如く、第二中子２５を残して妻枠３０、内枠２１、外枠２２及び底部型板２３とともに第一中子２４を脱型する点であり、その後は側溝用ブロック１内に残存せる第二中子２５を上記例と同様に内枠２１が存した側に外すものである。【００４９】  又、図２３（イ）乃至（ホ）の場合は、側溝用ブロック１の製造時に、図２３（イ）に示す如く、外枠２２の底部型板２３の所定位置に、上部開口部５ａ形成用の略垂直状の第一中子２４及び第三中子３１を介して下部開口部５ｂ形成用の第二中子２５をその先端を内枠２１に向けて上向き傾斜状に接続するとともに、上記先端を内枠２１表面に近接させ、予め第一中子２４を底部型板２３に固着しておき、脱型に際して、図２３（イ）及び（ロ）に示す如く、第二、第三中子２５，３１を残して妻枠３０、内枠２１、外枠２２及び底部型板２３とともに第一中子２４を脱型し、図２３（ロ）及び（ハ）に示す如く側溝用ブロック１内に残存せる第二中子２５を内枠２１が存した側に外し、続いて第三中子３１を内枠２１が存した側に外すものである。上記第三中子３１は、第二中子２５を外すと、図２３（ニ）及び（ホ）に示す如く下部開口部５ｂ内に落下（自重又は押圧等により）、回動したりすることで下部開口部５ｂ内を通過するようにして、夫々内枠２１が存した側に速やかに落下するようにしておくものである。
又、この場合のように第一、第二、第三中子２４，２５，３１を使用する場合、上記の他、脱型に際して、第一、第二、第三中子２４，２５，３１を残して妻枠３０、内枠２１、外枠２２及び底部型板２３を脱型し、既に説明したと同様に側溝用ブロック１内に残存せる第一中子２４を底部型板２３が存した側に外した後、第二、第二中子２５，３１を内枠２１が存した側に外すか、又は、図２２（イ）に示すと同様に第一中子２４を底部型板２３側に外し、第二、第三中子２５，３１を残して妻枠３０、内枠２１、外枠２２及び底部型板２３を脱型し、上記と同様に側溝用ブロック１内に残存せる第二、第三中子２５，３１を内枠２１が存した側に外すようにしてもよい（図示省略）。
又、第一、第二、第三中子２４，２５，３１を使用する場合、脱型に際して中子を小分けにして側溝用ブロック１の開口部５を損傷することなく脱型ができる利点がある。【００５０】  又、図２４（イ）及び（ロ）の場合は、夫々、上記開口部５を形成する第一、第二中子２４，２５の代わりに屈折又は屈曲状の入れ子３２を使用するものであって、夫々側溝用ブロック１の製造時に、上記例と略同様に外枠２２の底部型板２３の所定位置に、上部開口部５ａ形成用の略垂直状部３２ａを介して下部開口部５ｂ形成用の傾斜状部３２ｂが連設されてなる入れ子３２を、その傾斜状部３２ｂを先端を内枠２１に向けて上向き傾斜状として接続するとともに、上記先端を内枠２１表面に近接させておき（図示省略）、脱型に際して、入れ子３２を残して妻枠３０、内枠２１、外枠２２及び底部型板２３を脱型した後、図２４（イ）及び（ロ）に示す側溝用ブロック１内に残存せる入れ子３２を除去するものである。
この場合、入れ子３２としては、少なくとも型枠２０内のコンクリート材料充填時の圧力に耐え得る硬度を有し、脱型に際して弾性変形して再使用可能、或いは破壊や変形、消滅して再使用不能となる材質のものを使用するものであって、例えば発泡スチロール等の弾性を有する合成樹脂、ゴム系等の弾性材料、中空弾性体等、弾性材料からなり主として再使用可能（破壊等により再使用不能ともなる場合もある）となされるか、或いはシエル芯、分解性や溶解性合成樹脂等からなり再使用不能（使い捨て）となされる。又、側溝用ブロック１内に残存せる入れ子３２を除去する方法は、入れ子３２を弾性変形させたり（再使用可能な場合）、破壊や変形、或いは液体（薬品を含む）や熱等で流失、分解、溶解させる等（再使用不能な場合）の適宜手段を採用すればよい。
又、図２４（ハ）に示すように、入れ子３２′を、上記開口部５及び流入孔５′を同時に形成しうる形状となすべく、略垂直状部３２ａに並列して起立部３２ｃを傾斜状部３２ｂに連設しておくこともできる。
【図面の簡単な説明】
【００５１】
【図１】  本発明の側溝用ブロックの一実施の形態を示し、（イ）は正面図、（ロ）は平面図、（ハ）は背面図、（ニ）は左側面図、（ホ）は（イ）のＡ−Ａ拡大断面図。
【図２】  （イ）は図１の側溝用ブロックの一部拡大平面図、（ロ）は（イ）のＢ−Ｂ一部断面図、（ハ）は（イ）のＣ−Ｃ断面図、（ニ）は（イ）のＤ−Ｄ断面図。
【図３】  図１の側溝用ブロックの施工例を示す断面図。
【図４】  本発明の側溝用ブロックの他実施の形態を示し、（イ）は正面図、（ロ）は平面図、（ハ）は背面図、（ニ）は左側面図、（ホ）は（イ）のＥ−Ｅ拡大断面図。
【図５】  図４の側溝用ブロックの施工例を示す断面図。
【図６】  （イ）乃至（ヘ）は夫々本発明の側溝用ブロックの他実施の形態を示す断面図。
【図７】  （イ）、（ロ）及び（ホ）は夫々本発明の側溝用ブロックの他実施の形態を示す一部平面図、（ハ）は（イ）及び（ロ）のＦ−Ｆ拡大断面図、（ニ）は（イ）及び（ロ）のＧ−Ｇ拡大断面図。
【図８】  （イ）及び（ロ）は夫々本発明の側溝用ブロックの他実施の形態を示す一部断面図。
【図９】  （イ）は本発明の側溝用ブロックの他実施の形態を示す一部平面図、（ロ）は（イ）のＮ−Ｎ拡大断面図、（ハ）は（イ）のＰ−Ｐ拡大断面図。
【図１０】  （イ）は図９（ロ）のａ部拡大図、（ロ）は図９（ハ）のＣ部拡大図、（ハ）は図９（イ）のｂ部拡大図。
【図１１】  （イ）乃至（ニ）は夫々本発明に係る側溝用ブロックの開口部の他実施の形態を示す一部拡大平面図。
【図１２】  （イ）は本発明の側溝用ブロックの他実施の形態を示す平面図、（ロ）は（イ）のＱ−Ｑ拡大断面図、（ハ）は（イ）のＲ−Ｒ拡大断面図。
【図１３】  （イ）は本発明の側溝用ブロックの他実施の形態を示す平面図、（ロ）は（イ）のＳ−Ｓ拡大断面図、（ハ）は（イ）のＴ−Ｔ拡大断面図、（ニ）は（ハ）のＵ−Ｕ一部断面図。
【図１４】  本発明の側溝用ブロックの上面開口部の形成方法における型枠の外観側面図。
【図１５】  図１４における型枠のＭ−Ｍ拡大断面図。
【図１６】  （イ）は図１５の型枠の要部を示す断面図、（ロ）は（イ）のＨ−Ｈ矢視図。
【図１７】  図１６の型枠における外枠の底部型板の要部を示し、（イ）は平面図、（ロ）は（イ）のＩ−Ｉ断面図。
【図１８】  図１６の型枠における第一中子を示し、（イ）は平面図、（ロ）は正面図、（ハ）は右側面図、（ニ）は（イ）のＪ−Ｊ断面図。
【図１９】  図１６の型枠における第二中子を示し、（イ）は平面図、（ロ）は正面図、（ハ）は右側面図、（ニ）は（ロ）のＫ−Ｋ断面図、（ホ）は（ロ）のＬ−Ｌ断面図。
【図２０】  （イ）乃至（ハ）は本発明の側溝用ブロックの上面開口部の形成工程の一部を示す要部断面図、（ニ）は他の形成工程を示す要部断面図。
【図２１】  本発明の側溝用ブロックの他の開口部を形成する第一及び第二中子の要部拡大断面図。
【図２２】  （イ）、（ロ）、（ニ）は本発明の側溝用ブロックの上面開口部の形成方法の他の例における形成工程を示す要部断面図、（ハ）及び（ニ）は本発明の側溝用ブロックの上面開口部の形成方法の更に他の例における形成工程を示す要部断面図。
【図２３】  （イ）乃至（ホ）は本発明の側溝用ブロックの上面開口部の形成方法の更に他の例における形成工程を示す要部断面図。
【図２４】  （イ）、（ロ）及び（ハ）は夫々本発明の側溝用ブロックの上面開口部の形成方法の更に他の例における形成工程の一部を示す要部断面図。
【符号の説明】
【００５２】１  側溝用ブロック
２  ブロック本体
３  上面
３ａ  低部側端部
３ｂ  高部側端部
４  排水路
５  開口部
５′  流入孔
５ａ  上部開口部
５ｂ  下部開口部
５ｃ，５ｃ′  開口基部
５ｄ，５ｄ′  導水溝
５ｅ，５ｅ′  傾斜面
５ｆ  凹段部
６  通水孔
２０  型枠
２１  内枠
２２  外枠
２３  底部型板
２４  第一中子
２５  第二中子
２６  コンクリート材料
３０  妻枠
３１  第三中子
３２，３２′  入れ子
３２ａ  垂直状部
３２ｂ  傾斜状部
３２ｃ  起立部
ｈ  所定高さ
【図１】
2007092501.tif 000003
【図２】
2007092501.tif 000004
【図３】
2007092501.tif 000005
【図４】
2007092501.tif 000006
【図５】
2007092501.tif 000007
【図６】
2007092501.tif 000008
【図７】
2007092501.tif 000009
【図８】
2007092501.tif 000010
【図９】
2007092501.tif 000011
【図１０】
2007092501.tif 000012
【図１１】
2007092501.tif 000013
【図１２】
2007092501.tif 000014
【図１３】
2007092501.tif 000015
【図１４】
2007092501.tif 000016
【図１５】
2007092501.tif 000017
【図１６】
2007092501.tif 000018
【図１７】
2007092501.tif 000019
【図１８】
2007092501.tif 000020
【図１９】
2007092501.tif 000021
【図２０】
2007092501.tif 000022
【図２１】
2007092501.tif 000023
【図２２】
2007092501.tif 000024
【図２３】
2007092501.tif 000025
【図２４】
2007092501.tif 000026